【事件の表示】
　特許第２７７５４８２号「屋内用殺ダニ剤」の特許に対する特許異議の申立てについて、次のとおり決定する。
【結論】
　訂正を認める。
　特許第２７７５４８２号の特許を維持する。
【理由】
１．手続きの経緯
　本件特許第２７７５４８２号発明は、平成１年８月３０日に特許出願され、平成１０年５月１日にその特許権の設定登録がなされ、その後、アース製薬株式会社より特許異議の申立てがなされ、取消理由通知がなされ、その指定期間内である平成１１年７月２７日に意見書及び訂正請求書が提出されたものである。
２．訂正の適否についての判断
（１）訂正の内容
　本件訂正請求は、本件特許明細書を訂正明細書のとおりに訂正することを求めるものであり、訂正の内容は次のとおりである。
▲１▼特許請求の範囲の請求項１の「ｐ−アニスアルデヒド、ｍ−アニスアルデヒド」の記載を削除する。
▲２▼発明の詳細な説明中の「ｐ−アニスアルデヒド」及び「ｍ−アニスアルデヒド」に関する記載を削除する。
（２）訂正の目的の適否、新規事項の有無及び拡張・変更の存否
　これらの訂正事項について検討すると、前記訂正▲１▼は、請求項１に殺ダニ有効成分としてあげられていた「ｐ−アニスアルデヒド」及び「ｍ−アニスアルデヒド」を削除するものであるから、特許請求の範囲の減縮を目的とするものであり、訂正▲２▼は特許請求の範囲を訂正した結果、記載が不一致となり明りょうでない記載となったものを明りようにするものであり、明りょうでない記載の釈明を目的とするものである。
　そしてこれらの訂正は、願書に添付した明細書に記載した事項の範囲内においてなされたものであり、かつ実質的に特許請求の範囲を拡張し又は変更するものではない。
（３）独立特許要件の判断
　訂正後の本件請求項１に係る発明が出願の際独立して特許を受けることができるものであるが否かについて以下に検討する。
（ｉ）請求項１に係る発明
　訂正後の請求項１に係る発明（以下「本件発明」という）は、訂正請求書に添付された訂正明細書の請求項１に記載された次のとおりのものである。
「ヘリオトロピン、Ｐ−アニス酸メチル、ｍ−アニス酸メチル、Ｏ−アニス酸メチルおよびフェニル酢酸エチルからなる群から選ばれた１種または２種以上を有効成分として含有することを特徴とする屋内用殺ダニ剤。」
（ｉｉ）引用刊行物及び証拠の記載事項
　訂正前の本件請求項１に係る発明について、当審で通知した取消理由に示した、本件出願前に頒布された刊行物１、２には以下の事項が記載されている。
　刊行物１（「生薬学雑誌」Ｖｏｌ．４３，Ｎｏ．２　平成元年６月１５日発行　第１６３〜１６８頁、甲第２号証）には、「精油の揮散成分によるヤケヒョウダニ、コナヒョウダニおよびケナガコナダニに対する殺ダニ効果」と題する論文が記載され、多数の精油、その主香成分及びその類縁化合物の殺ダニ効力について記載され、「ｂｅｎｚａｌｄｅｈｙｄｅ」、「Ａｎｉｓ　Ｏｉｌ」、「Ｆｅｎｎｅｌ　Ｏｉｌ」、「ｏ−Ａｎｉｓａｉｄｅｈｙｄｅ」、「Ａｎｅｔｈｏｌｅ（Ａｎｉｓ　ＯｉｌおよびＦｅｎｎｅｌ　Ｏｉｌの主香成分）」は殺ダニ効果を有することが示され（第１６５頁第２６〜４５行、ＴＡＢＬＥＩ、ＴＡＢＬＥＩＩ）、「主香成分の殺ダニ効果の強弱はそれを含有する精油の殺ダニ効果の強弱とよく比例した。従って精油の殺ダニ効果は主として主香成分のそれに基づくものと推測した。」（第１６８頁第１７〜１９行）と記載されている。
　刊行物２（「化学大辞典　１」共立出版株式会社　昭和３５年３月３０日発行　第２０３〜２０４頁、甲第３号証）には、「アニスアルデヒド」の項にアニスアルデヒドはアニス油、ウイキョウ油などに存在することが記載され、「アニス酸」の項に、アニス酸（ｐ−メトキシ安息香酸）はウイキョウ油などに存在することが記載され、「アニス油」の項に、アニス油の主成分はアネトールでありその他エスドラゴール、アニシルアセトンを含有することが記載されている。
　また、異議申立人の提出した、甲第１号証（特開昭６４−１９００４号公報（以下「刊行物３」という））には、ベンズアルデヒド、ペリラアルデヒド、ｌ−カルボン、ｄ−カルボン、サリチル酸メチル、サリチル酸エチル、安息香酸メチル、又は安息香酸エチルを有効成分として含有する殺ダニ剤、殺虫剤又は忌避剤について記載され（特許請求の範囲）、本発明の有効成分を含有する精油として、アーモンドビッター油、ペリラ油、スペアミント油、ジル油、キャラウェー油、冬緑油、パーチ油が挙げられ（第１頁左下欄〜右下欄、表１）、「本発明の目的は、住居内のダニ類・・に対して巾広い殺ダニ効力を有する殺ダニ剤、ダニ忌避剤を提供することである」（第２頁右下欄）と記載されている。
３．対比・判断
　本件発明と刊行物１乃至３に記載の発明を比較すると、刊行物１乃至刊行物３には、本件発明の構成である、「ヘリオトロピン、Ｐ−アニス酸メチル、ｍ−アニス酸メチル、Ｏ−アニス酸メチルおよびフェニル酢酸エチルの１種又は２種以上を有効成分として含有する殺ダニ剤」について記載されていないし示唆もない。
　すなわち、刊行物１には、「Ａｎｉｓ　Ｏｉｌ（アニス油）」又は「Ｆｅｎｎｅｌ　Ｏｉｌ（ウイキョウ油）」は殺ダニ効果を有することが記載され、殺ダニ効果を有する精油の主香成分またはその類縁化合物である「Ａｎｅｔｈｏｌｅ（アネトール）」等は殺ダニ性があることが示されているが、本件発明の有効成分である「ヘリオトロピン」、「Ｐ−アニス酸メチル」、「ｍ−アニス酸メチル」、「Ｏ−アニス酸メチル」又は「フェニル酢酸エチル」が殺ダニ性を有することは記載も示唆もない。
　刊行物３には、ベンズアルデヒド又はペリラアルデヒド化合物を含有する精油、サリチル酸メチル、サリチル酸エチル、安息香酸メチル又は安息香酸エチルは、殺ダニ効力を有することが記載されているが、本件発明の有効成分については記載されていないし、上記の化合物以外の芳香族アルデヒド、芳香族カルボン酸が殺ダニ効果をもたらすことを示唆する記載もない。
　さらに、刊行物２には、「アニスアルデヒド」、「アニス酸」、「アニス油」について記載されているが、本件発明の有効成分については記載も示唆もない。
　また、本件発明は、刊行物１乃至刊行物３に記載された発明を組み合わせて当業者が容易に発明することができたものであるとすることもできない。
　そして、本件発明は、前記構成により、安全性、使用性にすぐれ、高い殺ダニ効力を奏するという、明細書記載の特有の作用効果がもたらされるものである。
　したがって、本件発明は、刊行物１乃至刊行物３に記載された発明に基いて当業者が容易に発明することができたものであるとすることはできない。
　よって、訂正後の本件発明は、特許出願の際独立して特許を受けることができるものである。
（４）訂正の適否についての結論
　以上のとおりであるから、上記訂正請求は、特許法第１２０条の４第２項及び同条第３項で準用する第１２６条第２−４項の規定に適合する。
　よって、本件訂正請求のとおり訂正を認める。
３．異議申立てについての判断
　異議申立人は、証拠として甲第１号証乃至甲第３号証（刊行物３、１及び２）を提出し、訂正前の本件請求項１に係る発明は、甲第１号証乃至甲第３号証に記載された発明に基いて当業者が容易に発明することができたものであるから、特許法第２９条第２項の規定により特許を受けることができないものであり、本件特許は取り消されるべきであると主張している。
　しかし、前記２．（ｉｉｉ）に示したとおり本件発明は甲第１号証乃至甲第３号証に記載された発明に基づいて当業者が容易になしえたものとすることはできない。
４．むすび
　以上のとおり、異議申立ての理由及び証拠方法並びに取消理由によっては本件の請求項１に係る特許を取り消すことができない。
　また、他に本件の請求項１に係る特許を取り消すべき理由を発見しない。
　よって結論のとおり決定する。
【異議決定日】
平成１１年９月２１日（１９９９．９．２１）
【訂正の要旨】
訂正の要旨
▲１▼訂正事項ａ
　明細書の【特許請求の範囲】の請求項１に係る記載
　「【請求項１】ｐ−アニスアルデヒド、ｍ−アニスアルデヒド、ヘリオトロピン、ｐ−アニス酸メチル、ｍ−アニス酸メチル、ｏ−アニス酸メチルおよびフェニル酢酸エチルからなる群から選ばれた１種または２種以上を有効成分として含有することを特徴とする屋内用殺ダニ剤。」
　を特許請求の範囲の減縮を目的として、
　「【請求項１】ヘリオトロピン、Ｐ−アニス酸メチル、ｍ−アニス酸メチル、Ｏ−アニス酸メチルおよびフェニル酢酸エチルからなる群から選ばれた１種または２種以上を有効成分として含有することを特徴とする屋内用殺ダニ剤。」と訂正する。
▲２▼訂正事項ｂ
　明細書の第３頁下７行〜第３頁下２行の「上記目的を達成するため………からなる群」を、特許請求の範囲の記載との整合性を図るために、明瞭でない記載の釈明を目的として、
　「上記目的を達成するため本発明者らは鋭意研究を重ねた結果、ヘリオトロピン、Ｐ−アニス酸メチル、ｍ−アニス酸メチル、Ｏ−アニス酸メチルおよびフェニル酢酸エチルからなる群」
と訂正する。
▲３▼訂正事項ｃ
　明細書の第４頁に記載の化合物（１）「ｐ−アニスアルデヒド」の構造式及び化合物（２）「ｍ−アニスアルデヒド」の構造式を、特許請求の範囲の記載との整合性を図るために、明瞭でない記載の釈明を目的として削除する。
▲４▼訂正事項ｄ
　明細書の第１２頁の表中、本発明の化合物１「Ｐ−アニスアルデヒド」及び化合物２「ｍ−アニスアルデヒド」の欄を、特許請求の範囲の記載との整合性を図るために、明瞭でない記載の釈明を目的として削除する。
▲５▼訂正事項ｅ
　明細書の第１４頁の表中、本発明の化合物１「Ｐ−アニスアルデヒド」及び化合物２「ｍ−アニスアルデヒド」の欄を、特許請求の範囲の記載との整合性を図るために、明瞭でない記載の釈明を目的として削除する。
▲６▼訂正事項ｆ
　明細書第１５頁６行の「前記化合物………各々」を、特許請求の範囲の記載との整合性を図るために、明瞭でない記載の釈明を目的として、
　「前記化合物ＮＯ．（５），（６）および（９）各々」
　と訂正する。
▲７▼訂正事項ｇ
　明細書第１６頁の表中、Ａの欄を、特許請求の範囲の記載との整合性を図るために、明瞭でない記載の釈明を目的として削除する。
▲８▼訂正事項ｈ
　明細書第１７頁１０行の
　「前記化合物………ゲル」
　を、特許請求の範囲の記載との整合性を図るために、明瞭でない記載の釈明を目的として、
　「前記化合物ＮＯ．（５）及び（８）各々２ｇにゲル」
　と訂正する。
（５４）【発明の名称】
屋内用殺ダニ剤
（５７）【特許請求の範囲】
ヘリオトロピン、Ｐ−アニス酸メチル、ｍ−アニス酸メチル、Ｏ−アニス酸メチルおよびフェニル酢酸エチルからなる群から選ばれた１種または２種以上を有効成分として含有することを特徴とする屋内用殺ダニ剤。
【発明の詳細な説明】
［産業上の利用分野］
本発明は、選ばれた芳香族アルデヒドあるいは芳香族カルボン酸エステル誘導体を有効成分として含有することを特徴とする屋内用殺ダニ剤に関する。
［従来の技術］
地球上には極めて多種のダニ類が生息し、例えば植物に寄生するミカンハダニ、ナミハダニ類等は、農作物に多大な被害を与えている。これら農業用途を目的とした殺ダニ剤は古くから開発が進められ、最近新しい有望な化合物が次々と発見されている。
一方、近年居住環境の変化から家庭内に、コナダニ、チリダニ、ホコリダニ等が発生し、不快感を与えるばかりでなく、アレルギー性喘息や皮疹を惹起する等の問題を生じている。スミチオンやダイアジノンのような有機リン剤がこれら屋内に発生するダニ類に効果があることは知られていたが、人畜に対する安全性や抵抗性問題のため実用化には障害がある。
最近、安全性の高いピレスロイド剤の適用や、テルぺン系化合物を用いる殺ダニ剤が、特開昭６３−１０４９０５号公報や、特開平１−１６３１０４号公報に開示されているがその駆除効果は必ずしも満足できるものはなく、また、殺ダニ剤のかわりにダニ忌避剤を使用する試みについても生息場所を移動させるのみで根本的な駆除方法とはいえず、的確な殺ダニ剤の開発が切望されているのが現状である。
［発明が解決しようとする問題点］
　本発明は、従来の屋内用殺ダニ剤が有している人畜への毒性上の問題、不十分な駆除効力等の欠点を解消し、安全性、有効性にすぐれ、しかも安価で使いやすい屋内用殺ダニ剤を提供するものである。
［問題点を解決するための手段］
上記目的を達成するため本発明者らは鋭意研究を重ねた結果、ヘリオトロピン、ｐ−アニス酸メチル、ｍ−アニス酸メチル、Ｏ−アニス酸メチルおよびフェニル酢酸エチルからなる群から選ばれた１種または２種以上を有効成分として含有する屋内用殺ダニ剤が、ヒョウヒダニ、コナダニ、ホコリダニ等住居内に生息するダニ類に対して高い殺ダニ効果を示し、しかも低毒性であることを見い出し本発明を完成した。
本発明で用いられる前記化合物群は、香料として汎用されているが、殺虫性を示さないことが知られており、殺ダニ効果を奏するという本発見は全く予想外のことであった。
化合物群の構造式を示せば次のとおりである。
　本発明屋内用殺ダニ剤の有効成分は、通常液体、又は固体であり、有効成分をそのまま適用することも可能であるが、通常好ましくは適当な担体その他の配合剤を用いて使用目的に応じ、各種の形態例えば、乳剤、水和剤、粉剤、油剤、エアゾール剤、塗布剤、錠剤等として使用される。
　また、上記有効成分は従来の殺ダニ剤と比べると揮散性が高く、常温徐放性製剤やあるいは例えばパルプ板状の適当な保持体に含浸させたのち適当な加熱蒸散器により加熱蒸散させるいわゆる加熱蒸散剤や燻煙剤として適用することも可能である。液状の担体としては例えば、水、アルコール類（メチルアルコール、エチルアルコール、エチレングライコール等）、ケトン類（アセトン、メチルエチルケトン、シクロヘキサノン等）、エーテル類（エチルエーテル、ジオキサン、セロソルブ類等）、脂肪族炭化水素類（ガソリン、ケロシン、灯油類等）、芳香族炭化水素類（ベンゼン、トルエン、キシレン、メチルナフタレン等）、ハロゲン化炭化水素類（ジクロルメタン、トリクロルベンゼン、フロン１１３、フロン１１４Ｂ等）、エステル類、酸アミド類、ニトリル類などの溶媒が適当であり、そしてこれらの１種または２種以上の混合物が使用される。また、固体の担体としては、例えば粘土類（カオリン、ベントナイト等）、タルク類、シリカ類、炭酸カルシウム、アルミナ粉末、活性炭類、木粉、でん粉、小麦粉などの植物性粉末、シクロデキストリン等が適当であり、そしてこれらの１種または２種以上の混合物が使用される。また、配合剤としては乳化剤、分散剤、展着剤、噴射剤、浸透剤、界面活性剤、安定剤、塗膜形成剤、揮散調整剤等が適当であり、これらの１種又は２種以上の混合物が使用される。なお、塗膜形成剤としては、セルロース誘導体、ビニール系樹脂、アルキッド系樹脂、ユリア系樹脂、シリコン系樹脂、ウレタン系樹脂、エポキシ系樹脂などをあげることができ、揮散調整剤としては、トリシクロデカン、シクロドデカン、２，４，６−トリイソプロピル−１，３，５−トリオキサン、トリメチレンノルボルネンなどの昇華性担体や、保留剤としての例えば、ステアリン酸ブチル、ミリスチリン酸イソプロピルなどの高級脂肪酸エステルや、ピぺロニルブトキサイド、サイネピリン５００などを例示できる。
更に、本発明の屋内用殺ダニ剤は、各種の殺虫剤、協力剤、酸化防止剤、殺菌剤、防黴剤、忌避剤、香料、着色料等を配合してもよい。配合可能な殺虫剤としては、アレスリン、ｄ−Ｔ８０−アレスリン、プラレトリン、ｄ−Ｔ８０−フラメトリン、ｄ−Ｔ８０−フタルスリン、ｄ−Ｔ８０−レスメトリン、フェノトリン、ペルメトリン、サイフェノトリン、サイぺルメトリン、フェンバレレート、エトフェンプロックスなどのピレスロイド系化合物、フェニトロチオン、ダイアジノン、ピリダフェンチオンなどの有機リン系化合物や、ＮＡＣ、ＭＴＭＣ、ＰＨＣなどのカーバメート系化合物などをあげることができる。
また、本発明の屋内用殺ダニ剤にエムぺントリンやＤＤＶＰ、あるいはパラジクロロベンゼン、ナフタリン、樟脳などの揮散性防虫剤を組み合わせたり、ディート、Ｎ−ブチルアセトアニリド、Ｎ，Ｎ−ジエチルサクシネートなどの忌避剤を適宜混合し効果のすぐれた多目的殺ダニ剤を得ることもできる。本発明屋内用殺ダニ剤中の有効成分量及びその使用量はその剤型や適用対象、適用方法、適用場所等に応じて適宜決定される。例えばコナダニ等畳に生息するダニの駆除には１畳あたり、０．１ｍｇ以上好ましくは１ｍｇ〜２ｇの前記有効成分をまた、カーぺット類に生息するヒョウヒダニ類の駆除には１ｍ２あたり０．５ｍｇ〜２ｇの有効成分を処理するのが望ましい。
本発明は、また、上記殺ダニ剤を基材に保持させてなるダニ防除材をも提供するものである。
該ダニ防除材は、その基材の特性を利用してダニ防除性を有するフィルム、シート、クッション、寝具類用充填材、建築、構築材料として用いられる。ここで基材としては例えば、ポリエチレン、ポリプロピレン、ポリエステル、エチレン−酢酸ビニール等の合成樹脂シート、動植物質または無機質繊維体シートなどや、クッション、寝具類用充填材としての天然綿、合成繊維綿、羽毛、ソバ殻、発泡プラスチックなどがあげられる。
本発明が提供するダニ防除材の好ましい一実施形態としては、ダニ防除カーぺットを例示できる。該ダニ防除カーぺットは、例えばパイル、第一基布、パッキング剤及び第二基布よりなる通常のカーぺットを作成後、必要に応じて塗膜形成剤を配合した液剤形態を有する本発明の屋内用殺ダニ剤を噴霧塗布するか、上記カーペットの作成に先立ち、パイル、第一基布及び第二基布のいずれか少なくとも１種に本発明の屋内用殺ダニ剤を処理しこれらを用いてカーペットを作成することにより得られる。上記の如くして作成されるダニ防除カーペットは、カーペット面積１ｍ２あたりに有効成分を約０．１〜１０ｇ保持させることが好ましい。
こうして得られた本発明の屋内用殺ダニ剤あるいはこれを保持させてなるダニ防除材は、種々のダニに対して高い駆除効果を示し、特に、気管支喘息、アトピー性皮膚炎、鼻アレルギーなどを惹起するといわれているコナヒョウヒダニやヤケヒョウヒダニなどのヒョウヒダニ類、アレルギー疾患や人体内ダニ症の病原と目されているケナガコナダニやムギコナダニなどのコナダニ類、ニクダニ類、ツメダニ類、ホコリダニ類、イエダニ類などの駆除に極めて有用なものである。
以下、試験例ならびに実施例により本発明を更に詳細に説明するが、本発明はその要旨を越えない限り以下の例に限定されるものではない。
試験例１
　５ｃｍ×１０ｃｍの長方形のろ紙に、供試化合物の１０ｍＭアセトン溶液を０．５ｍｌ滴下し、風乾後、２つ折りし間にコナヒョウヒダニを５０〜１５０匹放飼した。
　この２つ折ろ紙を２ケのアクリル円筒（内径４．１ｃｍ、高さ２ｃｍ）で挟み、輪ゴムで固定後、容積が１１の蓋付き容器内（２７〜２８℃、６５％ＲＨ）に設置し、２４時間放置後生ダニ数及び死ダニ数を数え、各供試化合物の殺ダニ効力を調べた。なお、対照化合物としては、ピレスロイド化合物のｄ−Ｔ８０−レスメトリンならびに特開平１−１６３１０４号公報開示のシトラール、カルボンを用いた。
試験の結果、本発明で用いる選ばれた芳香族アルデヒドあるいは芳香族カルボン酸エステル誘導体はコナヒョウヒダニに対して高い接触殺ダニ効力を示し、対照化合物のｄ−Ｔ８０−レスメトリンや特開平１−１６３１０４号公報開示のシトラール、カルボンより非常にすぐれていた。
試験例２
供試化合物の揮散分子の殺ダニ効力を調べるため、試験例１と同様な装置を用いて試験を行った。
約１ｃｍ四方の布地に供試化合物の１００ｍＭアセトン溶液１００μｌ（ケナガコナダニの場合２００μｌ）を滴下し、風乾後下方のアクリル円筒の底に置き、更にコナヒョウヒダニ又はケナガコナダニ１００〜２００匹を無処理の２つ折ろ紙の間に挟んで１１の容器内に設置した。２４時間放置後、生ダニ数及び死ダニ数を数え、揮散した各供試化合物の致死効力を求めたところ下表の如くであった。
なお、対照化合物としては、常温揮散性ピレスロイドであるエムペントリンならびにシトラール、シトロネラールを用いた。
試験の結果、本発明で用いる選ばれた芳香族アルデヒドあるいは芳香族カルボン酸エステル誘導体は揮散分子の殺ダニ効力も極めて高く、徐放性製剤や加熱蒸散製剤への適用も有用であることが確認された。
一方、防虫剤として広く使用されているエムぺントリンや、特開平１−１６３１０４号公報開示のシトラールやシトロネラールの殺ダニ効力は非常に弱いことも明らかとなった。
実施例１
前記化合物Ｎｏ．（５），（６）および（９）各々１０ｇに、香料を微量、ケロシンを加えて全体を１２０ｍｌとし、これと液化石油ガス及びジメチルエーテル混合物（１：１容積比）の１８０ｍｌとをエアゾール用耐圧缶に充填後噴射装置を取り付けてエアゾール剤の形態としての本発明屋内用殺ダニ剤を得た。
　ヒョウヒダニが発生したカーペットに１ｍ２あたり２０ｍｌ噴射し１日後にカーペット中のダニ数を観察したところ回収ダニ数に対する死ダニ数の比率はいずれも９０％以上であった。
実施例２
　次表の仕様にて本発明屋内用殺ダニ剤を処理したカーぺットを作製した。
　なお、化合物番号は前記化合物例のものと同一である。
本発明殺ダニ剤を処理したカーペットを２０×２０ｃｍの大きさに切り取り、中央部にコナヒョウヒダニ約５，０００頭を含むダニ培地を置き、２５℃、６０％ＲＨ条件下で２日間保存後掃除機でカーぺット表面又は裏面のダニを吸い取り、所定の方法に従って生存ダニ数を数え、次式
補正死虫率（％）＝（Ｘ−Ｙ）／Ｘ×１００
　　Ｘ；薬剤無処理カーペット区の生存ダニ数
　　Ｙ；殺ダニ剤処理カーペット区の生存ダニ数
により死虫率を求めたところいずれも９０％以上であった。
また、これらのカーペットは匂いや刺激性の点でも問題なく本発明屋内用殺ダニ剤の有用性が確認された。
実施例３
前記化合物Ｎｏ．（５）及び（８）各々２ｇにゲル化剤８ｇを配合し常法により錠剤形態の本発明屋内用殺ダニ剤を調製した。
布団を収納した布製袋内に上記錠剤（和紙で包装したもの）２ケ入れて保存したところ、布団にはダニ類の生息は全くみられなかった。
［発明の効果］
本発明屋内用殺ダニ剤は、有効成分として選ばれた芳香族アルデヒドあるいは芳香族カルボン酸エステル誘導体を含有することに基づいて、安全性、使用性にすぐれ、高い殺ダニ効力を奏するものである。